(57)【要約】【課題】ネットワーク上で入力されたキーワードを利用することにより、標準辞書には存在しないような語句群を含む辞書を作成する。【解決手段】ネットワーク１１を介して一般ユーザが検索エンジンサーバ１３を利用するときに入力されたキーワード群を辞書コンテンツサーバ１７において収集し、各キーワードとその読みとの対を辞書データとして含む辞書を作成する。辞書コンテンツサーバ１７は、この作成された辞書をネットワーク１２経由で端末１０にダウンロード可能に提供する。【選択図】　図１
2004070547.tif 000002
【特許請求の範囲】
【請求項１】
情報処理装置における入力文字変換に用いられる、読みに対応した語句を登録する辞書を作成する辞書作成方法であって、
ネットワーク上でユーザが入力したキーワードを収集するステップと、
収集されたキーワードに読みを対応付けて辞書データを作成するステップと
を備えたことを特徴とする辞書作成方法。
【請求項２】
前記キーワードはＷＥＢサイト上で入力された文字列である請求項１記載の辞書作成方法。
【請求項３】
前記キーワードはネットワーク上の検索エンジンに対して入力された文字列である請求項２記載の辞書作成方法。
【請求項４】
前記辞書に登録する対象となるキーワードを所定の規則に従って抽出するステップを備える請求項１記載の辞書作成方法。
【請求項５】
前記所定の規則として、入力頻度が所定のレベル以上のキーワードを抽出することを特徴とする請求項４記載の辞書作成方法。
【請求項６】
前記所定の規則として、カテゴリが同一であるキーワードを抽出することを特徴とする請求項４記載の辞書作成方法。
【請求項７】
前記所定の規則として、特定のユーザがネットワーク上で入力したキーワードを抽出することを特徴とする請求項４記載の辞書作成方法。
【請求項８】
前記所定の規則として、予め定めた禁止語に該当するキーワードを除外することを特徴とする請求項４記載の辞書作成方法。
【請求項９】
前記作成された辞書をユーザがダウンロード可能にネットワーク上のサーバに格納するステップをさらに含むことを特徴とする請求項１記載の辞書作成方法。
【請求項１０】
情報処理装置における入力文字変換に用いられる、読みに対応した語句を登録する辞書を作成する辞書作成装置であって、
ネットワーク上でユーザが入力したキーワードを収集する手段と、
収集されたキーワードに読みを対応付けて辞書データを作成する手段と
を備えたことを特徴とする辞書作成装置。
【請求項１１】
前記キーワードはＷＥＢサイト上で入力された文字列である請求項１０記載の辞書作成装置。
【請求項１２】
前記キーワードはネットワーク上の検索エンジンに対して入力された文字列である請求項１１記載の辞書作成装置。
【請求項１３】
前記辞書に登録する対象となるキーワードを所定の規則に従って抽出する手段を備える請求項１０記載の辞書作成装置。
【請求項１４】
情報処理装置における入力文字変換に用いられる、読みに対応した語句を登録する辞書を作成する辞書作成システムであって、
ネットワークを介してユーザからキーワードの入力を受け付ける少なくとも１つの第１のサーバと、
この第１のサーバから前記キーワードの収集を行い、収集されたキーワードに読みを対応付けて辞書データを作成する第２のサーバとを備え、
第２のサーバは作成された辞書データをネットワークを介してユーザに提供することを特徴とする辞書作成システム。
【請求項１５】
前記第２のサーバは各キーワードの入力される頻度情報を更新、保持し、この頻度情報に基づいて、辞書データとすべきキーワードを抽出することを特徴とする請求項１４記載の辞書作成システム。
【請求項１６】
前記第１のサーバは各キーワードの入力される頻度情報を更新、保持し、定期的にキーワードおよびその頻度情報を前記２のサーバに送信し、前記第２のサーバは前記頻度情報に基づいて、辞書データとすべきキーワードを抽出することを特徴とする請求項１４記載の辞書作成システム。
【請求項１７】
ネットワークを介して前記第２のサーバに接続される端末装置を備え、この端末装置は前記作成された辞書データをダウンロードして自装置内に記憶し、オフラインで前記辞書データを使用することを特徴とする請求項１４記載の辞書作成システム。
【発明の詳細な説明】
【０００１】
【発明の属する技術分野】
本発明は、情報処理装置における入力文字変換に用いられる、読みに対応した語句を登録する辞書を作成する辞書作成方法および装置ならびに辞書作成システムに関する。
【０００２】
【従来の技術】
昨今、携帯電話や携帯情報端末（ＰＤＡ：Ｐｅｒｓｏｎａｌ　Ｄｉｇｉｔａｌ　Ａｓｓｉｓｔａｎｔ）だけでなく、カムコーダ等の組み込み機器でもインターネットのようなネットワークへのアクセスが可能になり、電子メールを作成して送信する機能を具備するようになっている。それらの機器ではサイズや形状の制約からパーソナルコンピュータ（ＰＣ）のようなフルキーボードを搭載することは困難である。そのため、比較的多数の文字の入力を行う電子メールなどの用途では、仮名漢字変換を行なう場合にはより変換効率の高い辞書を具備する必要がある。
【０００３】
【発明が解決しようとする課題】
一方、時事用語など移り変わりの激しい言葉はダイナミックに辞書データとして追加する必要がある。標準的な辞書データは予め組み込み機器の出荷前に固定されたデータとして用意されるものであり、時事用語等のようにダイナミックな要素をもつデータには対応できない。
【０００４】
これに対して、近年、ネット接続可能な機器ではそれらのデータをネットワークからダウンロードして辞書データを更新する機能を具備する必要性が高まっている。
【０００５】
しかし、ダウンロード辞書の作成についても、それを提供するコンテンツプロバイダ側の手作業で各種データを収集する必要があり、維持管理を含めてコストがかかる。
【０００６】
本発明はこのような背景においてなされたものであり、その目的は、情報処理装置における入力文字変換に用いられる、読みに対応した語句を登録する辞書として、ネットワーク上で入力されたキーワードを利用することにより、標準辞書には存在しないような語句群を含む辞書を作成することができる辞書作成方法および装置ならびに辞書作成システムを提供することにある。
【０００７】
【課題を解決するための手段】
本発明による辞書作成方法は、情報処理装置における入力文字変換に用いられる、読みに対応した語句を登録する辞書を作成する辞書作成方法であって、ネットワーク上でユーザが入力したキーワードを収集するステップと、収集されたキーワードに読みを対応付けて辞書データを作成するステップとを備えたことを特徴とする。
【０００８】
前記キーワードは、ネットワーク上で入力される任意の語句でありうるが、例えば、ＷＥＢサイト上で入力された文字列である。より具体的には、前記キーワードはネットワーク上の検索エンジンに対して入力された文字列である。
【０００９】
前記辞書に登録する対象となるキーワードは、所定の規則に従って抽出することができる。例えば、所定の規則として、（１）入力頻度が所定のレベル以上のキーワードを抽出する、（２）カテゴリが同一であるキーワードを抽出する、（３）特定のユーザがネットワーク上で入力したキーワードを抽出する、（４）所定の規則として、予め定めた禁止語に該当するキーワードを除外する、等がありうる。
【００１０】
このようにして作成された辞書は、ネットワーク上で一般に不特定多数のユーザが入力したキーワードに基づくものなので、比較的新しい、標準辞書には含まれてない用語等が多く含まれることが期待される。
【００１１】
作成された辞書は、好ましくは、ユーザがダウンロード可能にネットワーク上のサーバに格納する。
【００１２】
本発明による辞書作成装置は、情報処理装置における入力文字変換に用いられる、読みに対応した語句を登録する辞書を作成する辞書作成装置であって、ネットワーク上でユーザが入力したキーワードを収集する手段と、収集されたキーワードに読みを対応付けて辞書データを作成する手段とを備えたことを特徴とする。
【００１３】
本発明による辞書作成システムは、情報処理装置における入力文字変換に用いられる、読みに対応した語句を登録する辞書を作成する辞書作成システムであって、ネットワークを介してユーザからキーワードの入力を受け付ける少なくとも１つの第１のサーバと、この第１のサーバから前記キーワードの収集を行い、収集されたキーワードに読みを対応付けて辞書データを作成する第２のサーバとを備え、第２のサーバは作成された辞書データをネットワークを介してユーザに提供することを特徴とする。
【００１４】
前記第２のサーバは各キーワードの入力される頻度情報を更新、保持し、この頻度情報に基づいて、辞書データとすべきキーワードを抽出することを特徴とする。
【００１５】
あるいは、前記第１のサーバ側で各キーワードの入力される頻度情報を更新、保持してもよく、この場合、好ましくは定期的にキーワードおよびその頻度情報を前記２のサーバに送信し、前記第２のサーバは前記頻度情報に基づいて、辞書データとすべきキーワードを抽出する。
【００１６】
本発明による辞書作成システムは、ネットワークを介して前記第２のサーバに接続される端末装置をさらに備える。これにより、この端末装置は前記作成された辞書データをダウンロードして自装置内に記憶し、オフラインで前記辞書データを使用することができる。端末装置としては、典型的には携帯電話機等の携帯端末装置に利用して好適であるが、本発明により得られる辞書をパーソナルコンピュータ等において利用することも可能である。
【００１７】
【発明の実施の形態】
以下、本発明の実施の形態について、図面を参照して詳細に説明する。
【００１８】
図１は、本発明の辞書作成システムの概略の全体構成を示すブロック図である。
【００１９】
このシステムは、インターネットのような第１のネットワーク１１と、これに接続された検索エンジンサーバ１３と、携帯電話などの携帯端末が接続される電話網、通信網のような第２のネットワーク１２と、これに接続される辞書コンテンツサーバ１７とからなる。検索エンジンサーバ１３は、ネットワーク１１を介してユーザに対して例えばＷＷＷ上の情報の検索機能を提供するものである。すなわち、検索エンジンは、インターネットで公開されているＷＥＢページの情報をデータベース化し、ユーザの入力したキーワード（語句等）に基づいて関連するＷＥＢページを検索し、その結果をユーザに提示する。ユーザの端末上に表示された結果から直接希望のＷＥＢページに移動することができるように、いわゆるリンクが設定されている。一方、辞書コンテンツサーバ１７はネットワーク１２を介して携帯端末１０に仮名漢字変換用の辞書をダウンロード可能に提供するものである。特に、本実施の形態では辞書コンテンツサーバ１７が、検索エンジンサーバ１３での検索結果に応じて新たな辞書を作成する機能を有する。検索エンジンサーバ１３と辞書コンテンツサーバ１７との間は通信ライン１５により接続される。通信ライン１５は専用線であっても、あるいは、ネットワーク１１，１２の一方を兼用するようにしてもよい。さらに、ネットワーク１１とネットワーク１２とをゲートウェイ（図示せず）により接続し、ネットワーク１２に接続された携帯端末１０からネットワーク１１を経由して検索サーバ１３を利用できるようにしてもよい。また逆に、ネットワーク１１に接続されたＰＣ等の端末からネットワーク１２を経由して辞書コンテンツサーバ１７にアクセスできるようにしてもよい。さらには、検索エンジンサーバ１３と辞書コンテンツサーバ１７は離れた位置にある場合を想定したが、同じ場所にあってもよい。あるいは、単一のコンピュータ装置が両サーバの機能を兼ね備えてもよい。
【００２０】
なお、本明細書における「仮名漢字変換」には、単にひらがなを漢字に変換するだけでなく、ひらがなをカタカナに変換したり数字や記号に変換したりする場合も含む。その意味でこの変換処理を「入力文字変換」ともいう。
【００２１】
図２は、本発明の辞書作成システムの別の態様を示している。この態様では、複数の検索エンジンサーバ１３ａ，…１３ｎを備え、これら複数の検索エンジンサーバが１つの辞書コンテンツサーバ１７に接続されている。他の構成は図１に示した場合と同様である。検索エンジンサーバ１３ａ，…１３ｎと辞書コンテンツサーバ１７との間の通信ライン１５ａ，…１５ｎについては、図１の通信ライン１５と同様である。
【００２２】
図３に携帯端末１０の概略構成を示す。この携帯端末１０は、ＣＰＵ１１１、ＲＯＭ１１２、ＲＡＭ１１６、表示部１２１、入力部１２２、無線通信部１２３を有する。ＲＯＭ１１２には、この端末を制御するための種々の制御プログラムやデータを不揮発的に格納しており、ＣＰＵ１１１がこれらのプログラムを実行する。図では本実施の形態に関係するものとして、ブラウザ１１３、メーラー１１４および仮名漢字変換プログラム１１５を示してある。ＲＡＭ１１６は、データの一時記憶領域やＣＰＵ１１１の作業領域を提供する他、本実施の形態では、ダウンロードされた仮名漢字変換用の辞書１１７を格納する領域を提供する。初期的に、標準的な辞書はＲＯＭ１１２内にあってもよい。表示部１２１は端末がユーザに対して情報を提示するための部位であり、例えば液晶表示装置のようなディスプレイを有する。入力部１１２はユーザが端末に対して情報や指示を入力するための部位であり、テンキーや各種操作ボタン、ジョグダイヤル等を有する。無線通信部１２３は、図示しない基地局等を介してネットワーク１２と無線通信を行う部位である。
【００２３】
図４は、検索エンジンサーバ１３の構成例を示すブロック図である。検索エンジンサーバ１３は、大略、制御部１３０と、検索用データベース（ＤＢ）１３６と、検索サイトのＷＥＢページを構成するデータを記憶するＷＥＢデータ記憶部１３７を有する。制御部１３０は、逐次、ＤＢ１３６の作成および更新を行うデータベース処理部１３１と、ＤＢ１３６の検索処理を行う検索処理部１３２と、ＷＥＢデータ記憶部１３７のＷＥＢデータを用いて検索サイトのＷＥＢページのリクエスト受付および応答を行うＷＥＢ処理部１３３、ならびに、ネットワーク１１との接続および辞書コンテンツサーバ１７との接続を行う通信部１３５を有する。
【００２４】
図５は、辞書コンテンツサーバ１７の構成例を示すブロック図である。辞書コンテンツサーバ１７は、大略、制御部１７０と、ＷＥＢデータ記憶部１８１、ダウンロード用辞書記憶部１８２、禁止語記憶部１８３、内蔵辞書記憶部１８５およびキーワード情報記憶部１８７を備える。制御部１７０は、ＷＥＢ処理部１７１、辞書作成部１７３、データ収集編集部１７５、および通信部１７７を有する。ＷＥＢデータ記憶部１８１は、辞書コンテンツサーバ１７自体のＷＥＢページを構成するデータを格納しており、ＷＥＢ処理部１７１がそのＷＥＢページのリクエストの受付および応答を行う。ダウンロード用辞書記憶部１８２は、辞書作成部１７３により作成されたダウンロード用辞書を記憶しておく部位である。禁止語記憶部１８３は、ダウンロード辞書に登録することができない不適切な語句を記憶する部位であり、辞書作成部１７３が辞書作成時にこれを参照する。内蔵辞書記憶部１８５は、辞書コンテンツサーバ１７に予め用意された広範な語句とその読み（およびカテゴリ）を登録した内蔵辞書を記憶する部位である。この内蔵辞書は本発明において必須のものではないが、後述するように、キーワードの読みやカテゴリや不明の場合に参照するためのものであり、逐次、更新されることが望ましい。キーワード情報記憶部１８７は、検索エンジンでの検索結果に基づいてデータ収集編集部１７５が収集したキーワードを記憶しておく部位である。通信部１７７は、第２のネットワーク１２および検索エンジンサーバ１３との通信を行うための部位である。
【００２５】
以下、本実施の形態の具体的な動作例について説明する。
【００２６】
図６は、本実施の形態における辞書コンテンツサーバ１７でのデータ収集編集処理の概略の処理手順を示すフローチャートである。まず、データ収集編集部１７５が通信部１７７を介して検索エンジンサーバ１３からキーワードを取得する（Ｓ１１）。この実施の形態では、検索エンジンに対してユーザからのキーワードの入力がある度に、通信ライン１５（図２のシステムでは１５ａ，…１５ｎのいずれか）を介してキーワード取得を行う。ここで、「キーワードの入力」とは、ユーザが検索サイトのＷＥＢページ上で文字列をキー入力する場合に限らない。例えば、いわゆるカテゴリ型の検索エンジンでは、公開されているＷＥＢページを予めカテゴリに分類してデータベース化しており、ユーザは階層的なツリー構造の中から最終的なキーワードを選択する場合がある。本実施の形態では、このようなキーワードの選択も「キーワードの入力」に含むものとする。収集されたキーワードはキーワード情報記憶部１８７に格納される。さらに、データ収集編集部１７５は後述するような所定のデータ編集処理を行う（Ｓ１２）。この編集結果はキーワード情報記憶部１８７に記憶される（Ｓ１３）。
【００２７】
図７に、図６のステップＳ１１で取得されるキーワード情報の形態の例（ａ）（ｂ）（ｃ）を示す。図７（ａ）のキーワード情報６０ａは、インデックス（Ｉｎｄｅｘ）６１、キーワード６２、その読み６３およびカテゴリ６４からなる。インデックス６１は、検索エンジンにおいて付与される所定のデータであり、例えば各検索エンジンの識別情報等のデータである。このインデックスは本発明において必須の要素ではない。読み６３はユーザがキーワードとして漢字を入力したような場合は存在しない。キーワードとして仮名文字が入力された場合には、それが読みとなる。漢字が入力された場合であっても検索エンジンで、対応する読みが得られる場合には、その読みが利用される。カテゴリ６４は上述したカテゴリ型の検索エンジンでは得られるが、必ずしもすべての検索エンジンで得られるとは限らない。図７（ｂ）のキーワード情報ｂ０ｂは図７（ａ）のキーワード情報６０ａにユーザ識別情報（ユーザＩＤ）６５を追加したものである。これは、会員制の検索サイトなどでユーザを特定できるユーザ識別情報が得られる場合に、後述するユーザ対応辞書を作成するためのものである。図７（ｃ）のキーワード情報６０ｃは、図７（ａ）のキーワード情報６０ａに当該キーワードの入力頻度を表す頻度情報６６を追加したものである。これは、検索エンジンサーバ側で各キーワードの頻度情報を管理している場合に採りうる形態である。
【００２８】
図８にキーワード情報記憶部１８７に記憶されるキーワード情報８０ａ、８０ｂの構成例（ａ）（ｂ）を示す。キーワード情報８０ａは、各キーワードについて、１レコードを有する。各レコードは、カテゴリ、キーワード、読み、頻度の各項目を有する。レコードは新たなキーワードが出現する度に作成され、既に作成されているキーワードについては頻度の値が更新（インクリメント）される。頻度はある時点からのキーワードの入力回数を継続的に累積したものである。頻度の更新は必ずしも必要ではないが、一定の期間毎に初期値にリセットしてもよい。
【００２９】
キーワード情報８０ｂは、キーワード情報８０ａに対してユーザＩＤの項目を追加したものである。これは、図７（ｂ）に示したキーワード情報６０ｂに対応する。同じキーワードであっても、ユーザが異なれば異なるレコードとして記憶される。
【００３０】
図９は、図６のステップＳ１２のデータ編集処理の詳細フローを示す。ステップＳ１１で取得されたキーワード情報に対して、既存キーワードをリードし（Ｓ２１）、一致するキーワードがあるか否かをチェックする（Ｓ２２）。既にあれば、そのキーワードの「頻度」をインクリメントする（Ｓ３４）。なければ、そのキーワードの「読み」があるかどうかをチェックする（Ｓ２３）。あれば、ステップＳ２８へ移行する。なければ、内蔵辞書１８５（図５）をリードし（Ｓ２４）、該当するキーワードが内蔵辞書内に存在するか否かを調べる（Ｓ２５）。存在すれば、その「読み」を当該キーワード情報に追加する（Ｓ２６）。存在しなければ、データ編集担当者に「読み」を手入力させる（Ｓ２７）。
【００３１】
ついで、当該キーワード情報に「カテゴリ」があるかどうかをチェックする（Ｓ２８）。あれば、ステップＳ３３へ移行する。なければ、再度、内蔵辞書をリードし（Ｓ２９）。当該キーワードがあれば（Ｓ３０，Ｙｅｓ）、その「カテゴリ」をキーワード情報に追加する（Ｓ３１）。なければ、データ編集担当者に「カテゴリ」を入力させる（Ｓ３２）。
【００３２】
そこで、当該キーワード情報をキーワード情報記憶部１８７に記憶する（Ｓ３３）。ついで、当該キーワードの頻度をインクリメントする（Ｓ３４）。
【００３３】
ついで、種々の辞書の作成処理の詳細について説明する。辞書の作成は、ユーザからの要求のあったとき等の必要時、あるいは、定期的に行うことができる。
【００３４】
図１０は、カテゴリ毎の辞書であるカテゴリ辞書の作成の手順を示す。まず、キーワード情報記憶部１８７をリードする（Ｓ４１）。ついで、全キーワードをカテゴリでソートする（Ｓ４２）。これにより、カテゴリ別のキーワード群が得られる。そこで、一つのカテゴリを選択する（Ｓ４３）。この選択はユーザが指定したものでも、あるいは、システムが指定したものであってもよい。ついで、選択されたカテゴリについて所定数以上のキーワードが存在するか否かを調べる（Ｓ４４）。存在しなければ、ステップＳ４７へ進む。存在すれば、当該カテゴリのキーワードと読みを抜粋する（Ｓ４５）。そこで、このカテゴリについてのキーワード群により辞書を作成する（Ｓ４６）。ステップＳ４３〜Ｓ４６の処理は、必要なカテゴリについて繰り返して実行される（Ｓ４７）。
【００３５】
図１１は、入力頻度が所定レベル以上のキーワードについての頻度辞書の作成の手順を示す。まず、キーワード情報記憶部１８７をリードする（Ｓ５１）。ついで、全キーワードを頻度でソートする（Ｓ５２）。これにより、頻度レベル別のキーワード群が得られる。そこで、上位所定数のキーワードを抽出する（Ｓ５３）。さらに、当該キーワードと読みを抜粋する（Ｓ５４）。この抜粋されたキーワードと読みの対により辞書を作成する（Ｓ５５）。
【００３６】
図１２は、特定のユーザ専用のユーザ対応辞書の作成の手順を示す。この処理はユーザの要求に基づいて実行される。この処理では、まず、図７（ｂ）に示したキーワード情報６０ｂから、当該ユーザのユーザＩＤを取得する（Ｓ６１）。そこで、キーワード情報記録部をリードする（Ｓ６２）。読み出されたキーワードのうち、当該ユーザＩＤに対応するキーワードがあるか否かをチェックする（Ｓ６３）。存在しなければ、該当するキーワードなしの返信をユーザに返す（Ｓ６７）。存在すれば、ユーザＩＤでキーワード情報記憶部１８７内のキーワード情報をソートする（Ｓ６４）。そこで、当該ユーザＩＤのキーワードと読みを抜粋する（Ｓ６５）。この抜粋されたキーワードと読みの対を基に、辞書を作成する（Ｓ６６）。
【００３７】
図１３は、図１０のステップＳ４６，図１１のステップＳ５４，図１２のステップＳ６６の辞書作成処理の詳細フローを示す。まず、抜粋されたキーワードを取得する（Ｓ７１）。ついで、禁止語記憶部１８３から禁止語データをリードする（Ｓ７２）。そこで、禁止語に一致するキーワードが存在するかどうかを確認する（Ｓ７３）。存在しなければ、ステップＳ７５へ移行する。存在すれば、当該キーワード情報を、抜粋されたキーワード情報から（またはキーワード情報記憶部１８７から）削除する（Ｓ７４）。このようにして禁止語に該当しないキーワードおよびその読みを辞書データとして記憶する（Ｓ７５）。なお、この辞書作成処理では、禁止語以外にも、標準的な辞書に載っているキーワードを削除するようにしてもよい。
【００３８】
以上のようにして作成された辞書は、辞書コンテンツサーバ１７のＷＥＢサイトにおいて、携帯端末１０のユーザに対して、ネットワーク１２経由でダウンロード可能に提示される。
【００３９】
図１４は、他の検索エンジンサーバ１３ａの構成例を示す。この構成では、図４に示した検索エンジンサーバ１３の構成に加えて、キーワード情報記憶部１３８とデータ収集部１３３とを設けている。キーワード情報記憶部１３８およびデータ収集部１３３は、図５に示した辞書コンテンツサーバ１７のキーワード情報記憶部１８７およびデータ収集編集部１７６の収集機能部分に相当するものである。この構成ではキーワードの収集を所定期間、検索エンジンサーバ１３ａ側で行い、その結果を定期的に辞書コンテンツサーバ１７へ送信するものである。他の構成は図４に示した検索エンジンサーバ１３と同じである。
【００４０】
以上、本発明の好適な実施の形態について説明したが、種々の変形、変更が可能である。例えば、データの収集期間（週、月等）を変えることによって、より時節の流れに合致した辞書データを構成することが可能である。また、検索が行なわれた時間帯（例えば夜間、昼間等）によってキーワードを選別することによって、当該時間帯に対応したユーザ層を分類することが可能である。辞書作成は辞書コンテンツサーバ１７において行うようにしたが、他の場所または装置で辞書作成を行い、その結果を辞書コンテンツサーバ１７にアップロードするようにしてもよい。キーワードの収集はＷＥＢサイト上で行う場合のみを説明したが、複数（好ましくは多数）のユーザがキーワードを入力できる環境であれば任意のネットワーク環境で行うことが可能である。
【００４１】
【発明の効果】
本発明によれば、通常、多数のユーザからネットワーク上に入力されるキーワードを収集、編集することにより、標準辞書には存在しないような語句群を自動的に収集することができ、比較的容易に辞書を作成することが可能となる。
【図面の簡単な説明】
【図１】本発明の辞書作成システムの概略の全体構成を示すブロック図である。
【図２】本発明の辞書作成システムの別の態様を示すブロック図である。
【図３】図１、図２内の携帯端末の概略構成を示すブロック図である。
【図４】図１，図２内の検索エンジンサーバの構成例を示すブロック図である。
【図５】図１，図２内の辞書コンテンツサーバの構成例を示すブロック図である。
【図６】本発明の実施の形態における辞書コンテンツサーバでのデータ収集編集処理の概略の処理手順を示すフローチャートである。
【図７】図６のステップＳ１１で取得されるキーワード情報の形態の例（ａ）（ｂ）（ｃ）を示す図である。
【図８】図５内のキーワード情報記憶部に記憶されるキーワード情報の構成例（ａ）（ｂ）を示す図である。
【図９】図６のステップＳ１２のデータ編集処理の詳細フローを示すフローチャートである。
【図１０】本発明の実施の形態におけるカテゴリ辞書の作成の手順を示すフローチャートである。
【図１１】本発明の実施の形態における頻度辞書の作成の手順を示すフローチャートである。
【図１２】本発明の実施の形態におけるユーザ対応辞書の作成の手順を示すフローチャートである。
【図１３】図１０のステップＳ４６，図１１のステップＳ５４，図１２のステップＳ６６の辞書作成処理の詳細フローを示すフローチャートである。
【図１４】本発明の実施の形態における他の検索エンジンサーバの構成例を示すブロック図である。
【符号の説明】
１０…携帯端末、１１…第１のネットワーク、１２…第２のネットワーク、１３…検索エンジンサーバ、１７…辞書コンテンツサーバ、８０ａ，８０ｂ…キーワード情報
【図１】
2004070547.tif 000003
【図２】
2004070547.tif 000004
【図３】
2004070547.tif 000005
【図４】
2004070547.tif 000006
【図５】
2004070547.tif 000007
【図６】
2004070547.tif 000008
【図７】
2004070547.tif 000009
【図８】
2004070547.tif 000010
【図９】
2004070547.tif 000011
【図１０】
2004070547.tif 000012
【図１１】
2004070547.tif 000013
【図１２】
2004070547.tif 000014
【図１３】
2004070547.tif 000015
【図１４】
2004070547.tif 000016